(57)【要約】【課題】最終的にジャムに至る前の原稿の変形を検出することによって、原稿に生じるダメージを抑制することができる画像読取装置を提供する。【解決手段】画像読取装置は、媒体を載置する媒体載置部と、前記媒体載置部に載置された媒体のうち最下位の媒体と接触して当該媒体を下流側に送る、媒体搬送方向と交差する媒体幅方向において中央領域に設けられる給送ローラーと、前記給送ローラーとの間で媒体をニップして分離する分離ローラーと、前記給送ローラーの下流側に設けられた、媒体を読み取る読み取り手段と、前記媒体幅方向において前記給送ローラーと前記分離ローラーとのニップ位置より媒体のエッジ側に離れた位置で、且つ、媒体搬送経路を側視して前記給送ローラー及び前記分離ローラーのうちいずれかと重なる位置である検出位置で媒体を検出可能な媒体検出手段とを備える。【選択図】図５
2019006559.tif 000002
【特許請求の範囲】
【請求項１】
媒体を載置する媒体載置部と、
前記媒体載置部に載置された媒体のうち最下位の媒体と接触して当該媒体を下流側に送る、媒体搬送方向と交差する媒体幅方向において中央領域に設けられる給送ローラーと、
前記給送ローラーとの間で媒体をニップして分離する分離ローラーと、
前記給送ローラーの下流側に設けられた、媒体を読み取る読み取り手段と、
前記媒体幅方向において前記給送ローラーと前記分離ローラーとのニップ位置より媒体のエッジ側に離れた位置で、且つ、媒体搬送経路を側視して前記給送ローラー及び前記分離ローラーのうちいずれかと重なる位置である検出位置で媒体を検出可能な媒体検出手段と、
を備えた画像読取装置。
【請求項２】
請求項１に記載の画像読取装置において、前記検出位置は、媒体搬送経路を側視して前記分離ローラーと重なる位置と、媒体搬送経路を側視して前記給送ローラーと重なる位置と、の双方に設けられている、
ことを特徴とする画像読取装置。
【請求項３】
請求項１に記載の画像読取装置において、前記検出位置は、媒体搬送経路を側視して前記分離ローラーと重なる位置に設けられている、
ことを特徴とする画像読取装置。
【請求項４】
請求項３に記載の画像読取装置において、前記検出位置は、媒体搬送方向において前記給送ローラーと前記分離ローラーとのニップ位置より下流側であるとともに、媒体の面と交差する方向において前記分離ローラーの回転中心位置より前記給送ローラー側にある、
ことを特徴とする画像読取装置。
【請求項５】
請求項３または請求項４に記載の画像読取装置において、前記媒体幅方向において前記検出位置より更に媒体のエッジ寄りの位置で、媒体搬送経路を側視して前記分離ローラー側の領域への媒体の入り込みを規制する規制部を備える、
ことを特徴とする画像読取装置。
【請求項６】
請求項１から請求項５のいずれか一項に記載の画像読取装置において、前記給送ローラーを制御する制御手段を備え、
前記制御手段は、前記媒体検出手段により前記検出位置において媒体を検出すると、前記給送ローラーを停止させる、
ことを特徴とする画像読取装置。
【請求項７】
請求項１から請求項５のいずれか一項に記載の画像読取装置において、媒体搬送方向において前記読み取り手段の上流側に設けられた、媒体を前記読み取り手段側に搬送する搬送ローラーと、
前記搬送ローラーと前記給送ローラーとの間に設けられた、媒体の通過を検出する通過検出手段と、
前記給送ローラーを制御する制御手段と、を備え、
前記制御手段は、前記媒体検出手段により前記検出位置において媒体を検出した場合、前記検出位置から前記通過検出手段までの距離に対応する量の前記給送ローラーの駆動を実行し、
前記給送ローラーの駆動の結果、前記通過検出手段により媒体先端の通過を検出した場合、前記給送ローラーによる媒体の給送を継続し、
前記給送ローラーの駆動の結果、前記通過検出手段により媒体先端の通過を検出しなかった場合、前記給送ローラーを停止させる、
ことを特徴とする画像読取装置。
【請求項８】
請求項１に記載の画像読取装置において、前記検出位置は、媒体搬送経路を側視して前記給送ローラーと重なる位置に設けられている、
ことを特徴とする画像読取装置。
【発明の詳細な説明】
【技術分野】
【０００１】
本発明は、媒体の面を読み取る画像読取装置に関する。
【背景技術】
【０００２】
スキャナーに代表される画像読取装置では、媒体の一例である原稿を自動送りする給送装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み込みとを行える様に構成される場合がある。特許文献１、２には、その様な構成の一例が開示されている。
【０００３】
また画像読取装置には、媒体の先端の通過を検出するセンサが設けられる。特許文献１記載の画像読取装置では、読み取りを行う画像読取部５の上流側に搬送ローラ４を備え、媒体の通過を検出する媒体センサ１３が、画像読取部５と搬送ローラ４との間に設けられている。そして媒体センサ１３により媒体先端の通過を検知すると、媒体が搬送ローラ４に到達したものとして、給送ローラ２の回転を停止する点が記載されている。
【先行技術文献】
【特許文献】
【０００４】
【特許文献１】特開２０１３−１８４８１８号公報
【特許文献２】特開２０１４−０５８３６０号公報
【発明の概要】
【発明が解決しようとする課題】
【０００５】
ところで画像読取装置では、ホチキス留めされたままの原稿束をユーザーが誤ってセットし、給送ジョブが開始されてしまう場合がある。この場合、給送ローラーと接触している原稿のみが一旦送り出されるものの、ホチキス留めされている為に送り出された原稿が変形し、やがてジャムとなってしまう虞がある。
【０００６】
一方、従来の画像読取装置では、ジャムを判定する為の手段が幾つか提案されている。例えば特許文献２には、原稿搬送路で発生する音に基づいてジャムが発生したか否かを判定する技術が開示されている。  
しかしながら上述のようにホチキス留めされたままの原稿束に対し給送ジョブが行われ、ジャムが発生した場合には、既に原稿に不可逆的なダメージ（例えば、破れ）が発生してしまっている場合がある。即ち、従来のジャム判定手段をそのまま利用するのみでは、上述の技術的課題に対しては不十分であり、より効果的なジャム判定手段が求められる。
【０００７】
そこで本発明はこの様な問題に鑑み成されたものであり、その目的は、最終的にジャムに至る前の原稿の変形を検出することによって、原稿に生じるダメージを抑制することができる画像読取装置を提供することにある。
【課題を解決するための手段】
【０００８】
上記課題を解決する為の、本発明の第１の態様に係る画像読取装置は、媒体を載置する媒体載置部と、前記媒体載置部に載置された媒体のうち最下位の媒体と接触して当該媒体を下流側に送る、媒体搬送方向と交差する媒体幅方向において中央領域に設けられる給送ローラーと、前記給送ローラーとの間で媒体をニップして分離する分離ローラーと、前記給送ローラーの下流側に設けられた、媒体を読み取る読み取り手段と、前記媒体幅方向において前記給送ローラーと前記分離ローラーとのニップ位置より媒体のエッジ側に離れた位置で、且つ、媒体搬送経路を側視して前記給送ローラー及び前記分離ローラーのうちいずれかと重なる位置である検出位置で媒体を検出可能な媒体検出手段とを備えたことを特徴とする。
【０００９】
本態様によれば、画像読取装置は、前記媒体幅方向において前記給送ローラーと前記分離ローラーとのニップ位置より媒体のエッジ側に離れた位置で、且つ、媒体搬送経路を側視して前記給送ローラー及び前記分離ローラーのうちいずれかと重なる位置である検出位置で媒体を検出可能な媒体検出手段を備えるので、変形に伴って前記検出位置に入り込んだ媒体を検出することができ、即ち最終的にジャムに至る前の媒体の変形を検出することによって媒体に生じるダメージを抑制することができる。
【００１０】
本発明の第２の態様は、第１の態様において、前記検出位置は、媒体搬送経路を側視して前記分離ローラーと重なる位置と、媒体搬送経路を側視して前記給送ローラーと重なる位置と、の双方に設けられていることを特徴とする。
【００１１】
本態様によれば、前記検出位置は、媒体搬送経路を側視して前記分離ローラーと重なる位置と、媒体搬送経路を側視して前記給送ローラーと重なる位置と、の双方に設けられているので、媒体が前記分離ローラー側及び前記給送ローラー側のいずれに変形した場合でも、それを検出することができる。
【００１２】
本発明の第３の態様は、第１の態様において、前記検出位置は、媒体搬送経路を側視して前記分離ローラーと重なる位置に設けられていることを特徴とする。  
前記媒体載置部に載置された媒体のうち最下位の媒体を送り出す構成では、特に上流側でホチキス留めされた原稿束に対し給送ジョブを実行すると、送り出される原稿（最下位の原稿）は前記分離ローラー側に変形し易い傾向がある。本態様ではそのような傾向に鑑み、前記検出位置を、媒体搬送経路を側視して前記分離ローラーと重なる位置に設けたので、より効率的に、最終的にジャムに至る前の媒体の変形を検出することができる。
【００１３】
本発明の第４の態様は、第３の態様において、前記検出位置は、媒体搬送方向において前記給送ローラーと前記分離ローラーとのニップ位置より下流側であるとともに、媒体の面と交差する方向において前記分離ローラーの回転中心位置より前記給送ローラー側にあることを特徴とする。
【００１４】
本態様によれば、変形した原稿が更に入り込み易い領域、即ち、媒体搬送方向において前記給送ローラーと前記分離ローラーとのニップ位置より下流側であるとともに、媒体の面と交差する方向において前記分離ローラーの回転中心位置より前記給送ローラー側の位置に前記検出位置を設けたので、更に効率的に、最終的にジャムに至る前の媒体の変形を検出することができる。
【００１５】
本発明の第５の態様は、第３のまたは第４の態様において、前記媒体幅方向において前記検出位置より更に媒体のエッジ寄りの位置で、媒体搬送経路を側視して前記分離ローラー側の領域への媒体の入り込みを規制する規制部を備えることを特徴とする。
【００１６】
例えば媒体のエッジが多少反っていると、最終的にジャムに至る様な変形でないにも係わらず、前記検出位置に媒体が入り込んでしまい、給送を停止すべき変形であると誤判定してしまう虞がある。そこで本態様では、前記媒体幅方向において前記検出位置より更に媒体のエッジ寄りの位置で、媒体搬送経路を側視して前記分離ローラー側の領域への媒体の入り込みを規制する規制部を備えるので、給送を継続しても問題のない媒体の前記検出位置への入り込みを抑制することで、上記誤判定を抑制できる。
【００１７】
本発明の第６の態様は、第１から第５の態様のいずれかにおいて、前記給送ローラーを制御する制御手段を備え、前記制御手段は、前記媒体検出手段により前記検出位置において媒体を検出すると、前記給送ローラーを停止させることを特徴とする。
【００１８】
本態様によれば、前記制御手段は、前記媒体検出手段により前記検出位置において媒体を検出すると、前記給送ローラーを停止させるので、ジャムに至る前の段階で給送動作を停止させることで、媒体にダメージが形成されることを防止でき、或いは媒体に形成されるダメージを抑制できる。
【００１９】
本発明の第７の態様は、第１から第５の態様のいずれかにおいて、媒体搬送方向において前記読み取り手段の上流側に設けられた、媒体を前記読み取り手段側に搬送する搬送ローラーと、前記搬送ローラーと前記給送ローラーとの間に設けられた、媒体の通過を検出する通過検出手段と、前記給送ローラーを制御する制御手段と、を備え、前記制御手段は、前記媒体検出手段により前記検出位置において媒体を検出した場合、前記検出位置から前記通過検出手段までの距離に対応する量の前記給送ローラーの駆動を実行し、前記給送ローラーの駆動の結果、前記通過検出手段により媒体先端の通過を検出した場合、前記給送ローラーによる媒体の給送を継続し、前記給送ローラーの駆動の結果、前記通過検出手段により媒体先端の通過を検出しなかった場合、前記給送ローラーを停止させることを特徴とする。
【００２０】
本態様によれば、前記制御手段は、前記媒体検出手段により前記検出位置において媒体を検出した場合、前記検出位置から前記通過検出手段までの距離に対応する量の前記給送ローラーの駆動を実行し、前記給送ローラーの駆動の結果、前記通過検出手段により媒体先端の通過を検出した場合、前記給送ローラーによる媒体の給紙を継続する。即ち、前記媒体検出手段が媒体を検出しても、その後に下流側の前記通過検出手段が媒体先端の通過を検出すれば、媒体を正常に給送できると考えられる為、その様な場合は給送を継続することで不必要な給送の停止を回避できる。
【００２１】
そして前記給送ローラーの駆動の結果、前記通過検出手段により媒体先端の通過を検出しなかった場合、ジャムが生じていると判断できるので、前記給送ローラーを停止させることで、媒体にダメージが形成されることを防止でき、或いは媒体に形成されるダメージを抑制できる。  
尚、「前記検出位置から前記通過検出位置までの距離に対応する量の前記送りローラーの駆動」とは、厳格に前記検出位置から前記通過検出位置まで媒体を搬送する為の前記送りローラーの駆動を意味するものではなく、前記検出位置から前記通過検出位置まで媒体を搬送する為の前記送りローラーの駆動を含め、多少のマージンを設定した場合をも含む意味である。
【００２２】
本発明の第８の態様は、第１の態様において、前記検出位置は、媒体搬送経路を側視して前記給送ローラーと重なる位置に設けられていることを特徴とする。  
本態様によれば、前記検出位置は、媒体搬送経路を側視して前記給送ローラーと重なる位置に設けられているので、前記給送ローラー側に変形する媒体を検知でき、即ち最終的にジャムに至る前の媒体の変形を検出することによって媒体に生じるダメージを抑制することができる。
【図面の簡単な説明】
【００２３】
【図１】本発明に係るスキャナーの外観斜視図。
【図２】本発明に係るスキャナーの媒体搬送経路を示す側面図。
【図３】本発明に係る媒体検出センサーの検出位置と分離ローラーとの位置関係を示す側面図。
【図４】スキャナーの媒体搬送経路を模式的に示した図であって媒体検出センサーの検出位置と分離ローラーとの関係を示す図。
【図５】媒体搬送経路を側視した状態を模式的に示した図であって媒体が正常に搬送された状態を示す図。
【図６】スキャナーの媒体搬送経路を模式的に示した図であって媒体が正常に搬送された状態を示す図。
【図７】スキャナーの媒体搬送経路を模式的に示した図であって媒体の幅方向中央部でジャムが生じた場合における媒体と媒体検出センサーとの関係を示す図。
【図８】媒体搬送経路を側視した状態を模式的に示した図であって図７における媒体と媒体検出センサーとの関係を示す図。
【図９】スキャナーの媒体搬送経路を模式的に示した図であってステープル留めされた媒体が搬送された際における媒体と媒体検出センサーとの関係を示す図。
【図１０】媒体搬送経路を側視した状態を模式的に示した図であって図８における媒体と媒体検出センサーとの関係を示す図。
【図１１】上部ユニット側に設けられ、原稿搬送経路内に向けて突出する規制部を示す斜視図。
【図１２】下部ユニット側に設けられ、原稿搬送経路内に向けて突出する規制部を示す斜視図。
【図１３】媒体検出センサーの配置位置の変更例を示す図。
【図１４】媒体検出センサーの配置位置の変更例を示す図。
【図１５】第２の実施例に係るスキャナーの媒体搬送経路を模式的に示した図。
【図１６】第２の実施例に係る給送動作のフローチャート。
【発明を実施するための形態】
【００２４】
以下、本発明の実施の形態を図面に基づいて説明する。尚、各実施例において同一の構成については、同一の符号を付し、最初の実施例においてのみ説明し、以後の実施例においてはその構成の説明を省略する。
【００２５】
図１は本発明に係るスキャナーの外観斜視図であり、図２は本発明に係るスキャナーの媒体搬送経路を示す側面図であり、図３は本発明に係る媒体検出センサーの検出位置と分離ローラーとの位置関係を示す側面図である。
【００２６】
図４はスキャナーの媒体搬送経路を模式的に示した図であって媒体検出センサーの検出位置と分離ローラーとの関係を示す図であり、図５は媒体搬送経路を側視した状態を模式的に示した図であって媒体が正常に搬送された状態を示す図である。
【００２７】
図６はスキャナーの媒体搬送経路を模式的に示した図であって媒体が正常に搬送された状態を示す図であり、図７はスキャナーの媒体搬送経路を模式的に示した図であって媒体の幅方向中央部でジャムが生じた場合における媒体と媒体検出センサーとの関係を示す図であり、図８は媒体搬送経路を側視した状態を模式的に示した図であって図７における媒体と媒体検出センサーとの関係を示す図である。
【００２８】
図９はスキャナーの媒体搬送経路を模式的に示した図であってステープル留めされた媒体が搬送された際における媒体と媒体検出センサーとの関係を示す図であり、図１０は媒体搬送経路を側視した状態を模式的に示した図であって図８における媒体と媒体検出センサーとの関係を示す図であり、図１１は上部ユニット側に設けられ、原稿搬送経路内に向けて突出する規制部を示す斜視図であり、図１２は下部ユニット側に設けられ、原稿搬送経路内に向けて突出する規制部を示す斜視図である。
【００２９】
図１３は媒体検出センサーの配置位置の変更例を示す図であり、図１４は媒体検出センサーの配置位置の変更例を示す図であり、図１５は第２の実施例に係るスキャナーの媒体搬送経路を模式的に示した図であり、図１６は第２の実施例に係る給送動作のフローチャートである。
【００３０】
また、各図において示すＸ−Ｙ−Ｚ座標系はＸ方向が装置幅方向であるとともに媒体幅方向、Ｙ方向が画像読取装置における媒体搬送方向、Ｚ方向がＹ方向と直交する方向であり、概ね搬送される媒体の面と直交する方向を示している。尚、各図において＋Ｙ方向側を装置前面側とし、−Ｙ方向側を装置背面側とする。
【００３１】
■■■第１の実施例■■■■
図１において、画像読取装置としてのスキャナー１０について説明する。スキャナー１０は、下部ユニット１２と、上部ユニット１４と、媒体載置部１６と、排出トレイ１８とを備えている。本実施例において、図示しないが上部ユニット１４は下部ユニット１２に対して媒体搬送方向下流側を回動支点として回動可能に下部ユニット１２に取り付けられている。
【００３２】
上部ユニット１４の前面側には、ユーザインタフェース部２０が設けられている。ユーザインタフェース部２０は、一例として、タッチパネルとして構成され、表示部と操作部とを兼ねている。ユーザインタフェース部２０を操作することで、スキャナー１０の媒体読取動作等を実行できる。スキャナー１０の前面側において、ユーザインタフェース部２０の下方には、排出口２２が設けられている。排出口２２の下方には、排出トレイ１８が、設けられている。本実施例において、排出トレイ１８は、下部ユニット１２内に収納された状態（図１及び図２）と下部ユニット１２から前面側に引き出された展開状態とを切り換え可能に構成されている。
【００３３】
＜＜＜原稿搬送経路について＞＞＞
図２において、スキャナー１０における媒体搬送経路２４について説明する。尚、図２において符号Ｐが付された太い実線は、スキャナー１０内において媒体搬送経路２４に沿って搬送される媒体の案内経路を示している。
【００３４】
下部ユニット１２の装置背面側端部には、媒体載置部１６が設けられている。媒体載置部１６は、原稿を傾斜した姿勢で支持することができるように構成されている。媒体載置部１６には、複数枚の媒体をセットすることができる。媒体載置部１６には、互いに接近する方向、あるいは離間する方向に変位可能な一対のエッジガイド１６ａが設けられ、媒体載置部１６に載置された媒体の側部をガイドするように構成されている。
【００３５】
下部ユニット１２において媒体搬送経路２４の経路上には、媒体の搬送方向上流側（−Ｙ方向側）から下流側（＋Ｙ方向側）に向かって、給送ローラー２６、分離ローラー２８、「搬送ローラー」としての搬送ローラー対３０、「読み取り手段」としての画像読取部３２及び排出ローラー対３４が設けられている。本実施例において給送ローラー２６は、一例として下部ユニット１２内に設けられた不図示の駆動源により回転駆動させられる。
【００３６】
分離ローラー２８は、給送ローラー２６と対向する位置に設けられている。分離ローラー２８は、不図示の付勢手段によって給送ローラー２６に対して付勢された状態に設けられている。分離ローラー２８は、給送ローラー２６と分離ローラー２８との間に複数枚の媒体が入り込むと、給送されるべき最下位の媒体のみを搬送方向下流側に送るべく複数枚の媒体を分離するように構成されている。媒体載置部１６に傾斜した姿勢で支持された媒体は、給送ローラー２６と分離ローラー２８とにニップされて、搬送方向下流側に配置された搬送ローラー対３０に搬送される。次いで、搬送ローラー対３０は、給送ローラー２６から送られてきた原稿を画像読取部３２に向けて送り出す。
【００３７】
画像読取部３２は、媒体搬送経路２４に沿って搬送される媒体の下面、すなわち第１面と対向するように下部ユニット１２内に設けられた第１読み取りユニット３６Ａと、媒体搬送経路２４に沿って搬送される原稿の上面、すなわち第２面と対向するように上部ユニット１４内に設けられた第２読み取りユニット３６Ｂとを備えている。本実施例において、第１読み取りユニット３６Ａ及び第２読み取りユニット３６Ｂは読み取りユニットとして構成され、一例として密着型イメージセンサーモジュール（ＣＩＳＭ）として構成されている。
【００３８】
搬送ローラー対３０により画像読取部３２に送られた原稿は、画像読取部３２において媒体Ｐの第１面及び第２面の少なくとも一方の面の画像を読み取られた後、画像読取部３２の搬送方向下流側に位置する排出ローラー対３４にニップされて排出口２２から排出される。
【００３９】
＜＜＜原稿搬送経路について＞＞＞
図３及び図４において、媒体搬送経路２４における媒体の搬送に関連する構成について説明する。図４に示すように、給送ローラー２６は媒体幅方向であるＸ軸方向に間隔をおいて２つ並んで下部ユニット１２に設けられている。より具体的には、給送ローラー２６は、媒体搬送経路２４においてＸ軸方向中央部に位置するように設けられている。本実施例において、給送ローラー２６の外周面は、高摩擦材料（例えば、ゴムなどのエラストマ等）により構成されている。
【００４０】
分離ローラー２８は、本実施例において給送ローラー２６と対向する位置、より具体的には装置高さ方向上方側において上部ユニット１４に設けられている。本実施例において、分離ローラー２８は、給送ローラー２６に対応するようにＸ軸方向において間隔をおいて２つ設けられている。本実施例において分離ローラー２８の外周面は、給送ローラー２６と同様に高摩擦材料（例えば、ゴムなどのエラストマ等）により構成されている。
【００４１】
図３において、媒体搬送方向（Ｙ軸方向）において分離ローラー２８が設けられた領域内に「媒体検出手段」としての媒体検出センサー３８が設けられている。媒体検出センサー３８については後述する。
【００４２】
図４及び図５に示すように、媒体搬送経路２４における給送ローラー２６及び分離ローラー２８の下流側には、媒体Ｐの給送を検出する媒体給送検出センサー４０が設けられている。媒体給送検出センサー４０は、一例として光学式センサーとして構成されている。
【００４３】
図５に示すように、媒体給送検出センサー４０は、一例として下部ユニット１２側に設けられた発光部４０ａと、上部ユニット１４側に設けられた受光部４０ｂとを備えている。そして、発光部４０ａと受光部４０ｂとは、媒体搬送経路２４を挟んで対向する位置に配置され、媒体搬送経路２４において媒体Ｐが搬送された際、媒体Ｐが発光部４０ａからの光を遮ることにより、媒体Ｐを検出するように構成されている。媒体給送検出センサー４０は、媒体Ｐを検出すると、後述する「制御部」としての制御部４２（図２）に検出信号を送信する。
【００４４】
本実施例における媒体給送検出センサー４０は、一例として給送されてきた媒体がキャリアシート（不図示）であるか否かを検出可能に構成されている。ここで、キャリアシートとは、無色透明の合成樹脂から成る２枚のシートを周縁部の一部で接合したものである。キャリアシートは、２枚のシート間にパスポート等の冊子や、二つ折りの書類等を挟んだ状態で媒体搬送経路２４を搬送され、画像読取部３２においてキャリアシートに挟まれた媒体の読取を行う際に使用する。
【００４５】
媒体給送検出センサー４０は、一例としてキャリアシートの接合された周縁部に設けられたマークを読み取るように構成されており、このマークを検出することで、給送されてきた媒体がキャリアシートであることを検出し、その検出信号を後述する制御部４２（図２）に送信する。尚、媒体給送検出センサー４０がキャリアシートを検出した場合には、制御部４２（図２）は後述する重送検出センサー４４の検出信号を無効化する。
【００４６】
さらに、図４及び図５において媒体搬送経路２４において媒体給送検出センサー４０の搬送方向下流側には、媒体Ｐの重送を検出する重送検出センサー４４が配置されている。本実施例において重送検出センサー４４は、一例として下部ユニット１２に設けられたスピーカー部４４ａと、上部ユニット１４に設けられたマイク部４４ｂとを備える超音波センサーとして構成されている。
【００４７】
本実施例において重送検出センサー４４は、スピーカー部４４ａから媒体搬送経路２４を通る媒体Ｐに向けて超音波を発振し、媒体Ｐからの反射音をマイク部４４ｂで検出するように構成されている。本実施例において重送検出センサー４４は、反射音の周波数により媒体Ｐの重送を検知するだけでなく、厚紙等の紙種も検出可能に構成されている。重送検出センサー４４は、媒体Ｐを検出すると、後述する制御部４２（図２）に検出信号を送信する。
【００４８】
図４に示すように、媒体搬送経路２４において搬送ローラー対３０の搬送方向下流側には、媒体搬送検出センサー４８が設けられている。媒体搬送検出センサー４８は、一例としてレバーを有する接触式センサーとして構成されている。ここで、媒体搬送経路２４に沿って媒体Ｐが搬送されると、媒体搬送検出センサー４８のレバーが媒体Ｐの先端に押されて搬送方向下流側に回動し、符号４８−１が付された位置（図４）に変位する。これにより媒体搬送検出センサー４８は、媒体Ｐを検出する。媒体搬送検出センサー４８は、媒体Ｐを検出すると、制御部４２に検出信号を送信する。
【００４９】
本実施例において、下部ユニット１２内には制御部４２（図２参照）が設けられている。本実施例において制御部４２は、複数の電子部品を備える電気回路として構成されている。制御部４２は、媒体検出センサー３８、媒体給送検出センサー４０、重送検出センサー４４及び媒体搬送検出センサー４８の検出信号を受けて、第１読み取りユニット３６Ａ、第２読み取りユニット３６Ｂにおける読取動作、及び給送ローラー２６、搬送ローラー対３０及び排出ローラー対３４の回転駆動を制御している。
【００５０】
さらに、制御部４２は、一例としてスキャナー１０における媒体Ｐの搬送及び画像読取動作を制御するように構成されている。また、制御部４２は外部（ＰＣなど）からの指示でスキャナー１０における媒体読取動作の実行に必要な動作を制御してもよい。
【００５１】
＜＜＜媒体検出センサーについて＞＞＞
次いで、図３ないし図５において媒体検出センサー３８について説明する。本実施例における媒体検出センサー３８は、一例として光学式センサーとして構成されている。図３において、媒体検出センサー３８は、媒体搬送経路２４をＸ軸方向から側視した状態において分離ローラー２８と重なる位置、具体的には分離ローラー２８が占める領域内に配置されている。媒体検出センサー３８の検出位置Ｓは、Ｙ軸方向及びＺ軸方向において分離ローラー２８と重なる位置、より具体的には分離ローラー２８が上部ユニット１４から突出している領域内に位置するように設定されている。尚、図３以降の図において、検出位置Ｓは光学式センサーの検出位置を模式的に図示している。
【００５２】
媒体検出センサー３８の検出位置Ｓは、Ｙ軸方向においてニップ位置Ｎ１より搬送方向下流側（＋Ｙ方向側）であるとともに分離ローラー２８の回転中心位置Ｃ１（図５）より給送ローラー２６側、つまり下方側にあることが望ましい。
【００５３】
図４において、媒体検出センサー３８の検出位置Ｓは、媒体幅方向（Ｘ軸方向）において給送ローラー２６と分離ローラー２８とのニップ位置Ｎ１よりも媒体のエッジ側、つまり媒体搬送経路２４の外側方向（＋Ｘ軸方向、−Ｘ軸方向）に離れた位置で媒体を検出するように設定されている。具体的には、検出位置Ｓは、Ｘ軸方向において分離ローラー２８の外側の検出位置設定領域Ｒ１内に位置するように設定される。
【００５４】
本実施例において検出位置設定領域Ｒ１は、Ｙ軸方向において分離ローラー２８の占める領域内に設定されており、Ｘ軸方向では、ニップ位置Ｎ１より外側の位置、具体的には分離ローラー２８の側部の位置から媒体搬送経路２４において搬送される最大サイズの媒体のエッジ位置までの範囲内に設定されている。
【００５５】
図５及び図６において媒体搬送経路２４に沿って媒体Ｐ１が給送ローラー２６と分離ローラー２８とにニップされて正常に搬送方向下流側（＋Ｙ方向側）に送られる際、媒体Ｐ１の先端Ｐ１Ｆの媒体幅方向エッジ側部分Ｐ１Ｓ（図６において二点鎖線で囲まれた部分、図５における媒体のニップ位置Ｎ１から先端Ｐ１Ｆまでの部分）は、分離ローラー２８側に持ち上がることなく、給送方向（Ｙ軸方向）に沿って搬送されるので、媒体検出センサー３８の検出位置Ｓにおいて検出されない。その結果、制御部４２は、媒体検出センサー３８の検出信号を受けないので、媒体Ｐ１の搬送方向下流側への搬送が継続される。
【００５６】
図７及び図８において、媒体搬送経路２４に沿って媒体Ｐ２が給送ローラー２６と分離ローラー２８とのニップ位置Ｎ１まで搬送された際、媒体Ｐ２の先端Ｐ２Ｆの中央部分Ｐ２Ｃ（図７）が給送ローラー２６と分離ローラー２８との間に入り込まない状態となることがある。この際、給送ローラー２６は回転を続けているので媒体Ｐ２の搬送が継続されてしまう。
【００５７】
その結果、図７に示すように媒体Ｐ２の先端Ｐ２Ｆの媒体幅方向エッジ側部分Ｐ２Ｓは、中央部分Ｐ２Ｃに対して内側に向かって変形する。この変形に伴って、図８に示すようにエッジ側部分Ｐ２Ｓは、分離ローラー２８側に持ち上がり、媒体搬送経路２４をＸ軸方向から側視した状態において分離ローラー２８の占める領域内に入り込む。これにより、媒体検出センサー３８は、検出位置Ｓにおいて媒体Ｐ２の持ち上がったエッジ側部分Ｐ２Ｓを検出する。尚、図８における太線は、媒体搬送経路２４をＸ軸方向から側視した状態における媒体Ｐ２の−Ｘ方向側のエッジ部分のみを模式的に図示している。
【００５８】
媒体検出センサー３８は、エッジ側部分Ｐ２Ｓを検出した検出信号を制御部４２に送信する。制御部４２は、媒体検出センサー３８の検出信号を受けて、給送ローラー２６の回転を停止させる。これにより、媒体Ｐ２が媒体搬送経路２４内でジャム（紙詰まり）を生じさせて、媒体Ｐ２に深刻なダメージ、例えば媒体Ｐ２の破損等が生じる前に媒体Ｐ２の搬送を停止させることができるので、媒体Ｐ２が受けるダメージを低減、あるいは抑制できる。
【００５９】
図９及び図１０において、ステープラーで留められた複数の媒体が搬送された際について説明する。図９において、媒体Ｐ３と媒体Ｐ４とが搬送方向における媒体先端側の−Ｘ方向側端部でステープラーにより留められている。この状態で、媒体Ｐ３及び媒体Ｐ４が搬送方向下流側に送られる際、装置高さ方向下方側に位置する媒体Ｐ３は、給送ローラー２６と分離ローラー２８とにニップされてニップ位置Ｎ１より下流側に送られる。一方で、装置高さ方向上方側に位置する媒体Ｐ４は、分離ローラー２８により搬送方向上流側に戻される。
【００６０】
その結果、媒体Ｐ３は、図９に示すようにステープラーで留められた部分Ｐ３Ｓを支点として、搬送方向下流側に送られつつ、図９における反時計回り方向に回動する。その際、ステープラーで留められた部分Ｐ３Ｓは、図１０に示すように持ち上がりながら分離ローラー２８の側方（−Ｘ方向側）に入り込む。これにより、媒体検出センサー３８は、持ち上がったステープラーで留められた部分Ｐ３Ｓを検出する。尚、図１０における太線は、媒体搬送経路２４をＸ軸方向から側視した状態における媒体Ｐ３の−Ｘ方向側のエッジ部分のみを模式的に図示しており、媒体Ｐ４の図示を省略している。
【００６１】
媒体検出センサー３８は、ステープラーで留められた部分Ｐ３Ｓを検出した検出信号を制御部４２に送信する。制御部４２は、媒体検出センサー３８の検出信号を受けて、給送ローラー２６の回転を停止させる。これにより、ステープラーで留められた媒体Ｐ３及び媒体Ｐ４の搬送を継続することにより、媒体Ｐ３及び媒体Ｐ４に深刻なダメージ、例えば媒体Ｐ３及び媒体Ｐ４においてステープラーで留められた部分Ｐ３Ｓがちぎれて破損する等のダメージが生じる前に媒体Ｐ３及び媒体Ｐ４の搬送を停止させることができるので、媒体Ｐ３及び媒体Ｐ４が受けるダメージを低減、あるいは抑制できる。
【００６２】
＜＜＜第１の実施例の変更例＞＞＞
（１）図１１において、媒体検出センサー３８が設けられた上部ユニット１４にはリブ状の規制部５０が設けられている。規制部５０は上部ユニット１４から媒体搬送経路２４内に突出するように構成されている。より具体的には、本実施例において規制部５０は、分離ローラー２８において媒体搬送経路２４内に上部ユニット１４から突出している部分と略同じ形状及び略同じサイズとなるように形成されている。尚、略同じ形状及び略同じサイズとは、完全一致を意味するものではなく、成形上の誤差等も含み得ることを意味している。
【００６３】
規制部５０は、媒体搬送経路２４をＸ軸方向から側視した場合、媒体搬送方向（Ｙ軸方向）において、給送ローラー２６と重なる位置に設けられている。図１１に示すように、媒体搬送方向下流側から上流側を見た際、規制部５０は、媒体搬送方向と交差する方向である媒体幅方向（Ｘ軸方向）において、媒体検出センサー３８の検出位置Ｓよりも外側、媒体のエッジ側に配置されている。尚、本変更例において規制部５０（図１１）はリブとして構成したが、ローラー部材として構成してもよい。
【００６４】
このように構成したことにより、媒体幅方向においてエッジ部分に反りが生じている媒体Ｐ５を搬送する際、規制部５０は、媒体Ｐ５のエッジ部分Ｐ５Ｓの反りを抑制、あるいは低減することができる。これにより、図１１に示すように媒体Ｐ５の反りが低減され（図１１における符号Ｐ５が付された太線）、媒体Ｐ５のエッジ部分Ｐ５Ｓが媒体検出センサー３８の検出位置Ｓにエッジ部分Ｐ５Ｓが入り込むことを低減、あるいは防止できる。尚、図１１において符号Ｐ５−１が付された二点鎖線は、エッジ部分が反った状態のまま、搬送された際にエッジ部分が媒体検出センサー３８に検出される状態を示している。
【００６５】
その結果、媒体のエッジが反っている場合、例えば、ジャムに至るような変形でない場合において、媒体のエッジが媒体検出センサー３８の検出領域内に入り込むことを抑制し、媒体検出センサー３８に検出されて制御部４２が給送を停止する誤判定を抑制、あるいは低減できる。これにより、給送を継続しても問題のない媒体の給送を継続することができ、スキャナー１０の利便性が向上する。
【００６６】
尚、本変更例では、媒体検出センサー３８が設けられた上部ユニット１４側に規制部５０を設ける構成としたが、この構成に代えて、例えば、図１２に示すように下部ユニット１２側に媒体検出センサー３８を設ける構成とした場合、下部ユニット１２側に規制部５０を設ける構成としてもよい。
【００６７】
（２）本実施例では、媒体搬送経路２４をＸ軸方向から側視した際、媒体検出センサー３８を分離ローラー２８と重なる領域内に配置する構成としたが、この構成に代えて、図１３に示すように、媒体搬送経路２４をＸ軸方向から側視した際、媒体検出センサー３８、より具体的には媒体検出センサー３８の検出位置Ｓを給送ローラー２６と重なる領域内に配置する構成してもよく、図１４に示すように、媒体搬送経路２４をＸ軸方向から側視した際、媒体検出センサー３８（媒体検出センサー３８の検出位置Ｓ）を分離ローラー２８と重なる領域内及び給送ローラー２６と重なる領域内にそれぞれ配置する構成としてもよい。
【００６８】
（３）本実施例では、スキャナー１０において媒体検出センサー３８を検出可能状態として媒体Ｐの給送を行う設定としたが、ユーザインタフェース部２０を操作して媒体検出センサー３８の検出状態をオフとし、非検出状態とした上で媒体Ｐの給送を行うように設定してもよい。尚、スキャナー１０が外部（ＰＣ等）に接続されている場合には、外部からの入力により、媒体検出センサー３８の検出状態をオフとしてもよい。
（４）本実施例では、媒体検出センサー３８を設ける構成としたが、この構成に代えて、一例として媒体給送検出センサー４０（図４）を媒体搬送経路２４において中央部に配置された給送ローラー２６及び分離ローラー２８の媒体幅方向両側に配置して、媒体Ｐのエッジ部分の持ち上がりを検出するように構成してもよい。
（５）本実施例では、給送ローラー２６及び分離ローラー２８は媒体幅方向において間隔をおいて２つ設ける構成としたが、この構成に代えて、１つ、あるいは３つ以上設ける構成としてもよい。
【００６９】
■■■第２の実施例■■■■
図１５及び図１６において、第２の実施例について説明する。本実施例では、通過検出センサー５２を媒体搬送方向において給送ローラー２６と搬送ローラー対３０との間に配置した点で第１の実施例と異なる。
【００７０】
図１５に示すように、通過検出センサー５２は、媒体搬送方向において給送ローラー２６と搬送ローラー対３０との間に配置されている。本実施例では、一例として通過検出センサー５２は給送ローラー２６の搬送方向下流側において搬送ローラー対３０よりも給送ローラー２６に近い位置に配置されている。図１５において、通過検出センサー５２は、符号５２−１が付された二点鎖線部へ変位することにより媒体Ｐの通過を検出する。尚、本実施例における通過検出センサー５２の構成は、媒体搬送検出センサー４８の構成と同様の構成である。
【００７１】
ここで、搬送する媒体に、例えば媒体にしわや折り目等のジャムに至るような変形でない変形がある場合、媒体検出センサー３８により媒体が検出されても給送を継続してもよい場合がある。本実施例では、このような場合に対応するように制御部４２が媒体検出センサー３８及び通過検出センサー５２の検出信号に基づいて給送ローラー２６の回転を制御している。以下、説明する。
【００７２】
図１６において、ステップＳ１として、制御部４２が給送ローラー２６の回転駆動を開始し、媒体の給送を開始させる。ステップＳ２として、媒体が給送ローラー２６により媒体搬送方向下流側に所定量送られた後、制御部４２は媒体検出センサー３８が媒体を検出したか否かを判断する。制御部４２は、媒体検出センサー３８から媒体検出信号を受信した場合、ステップＳ３として媒体検出センサー３８の検出位置Ｓから通過検出センサー５２までの媒体搬送方向における距離（経路長）に対応する給送ローラー２６の回転量分、給送ローラー２６を回転させる。
【００７３】
制御部４２は、ステップＳ４として通過検出センサー５２が媒体を検出したか否かを判断する。制御部４２は、通過検出センサー５２から媒体検出信号を受けると、媒体の給送方向下流側への搬送を継続する。その後、制御部４２はステップＳ５として、媒体搬送検出センサー４８が媒体を検出したか否かを判断する。制御部４２は、媒体搬送検出センサー４８から媒体検出信号を受けると、ステップＳ６として、媒体の給送を継続し、画像読取部３２において媒体の第１面及び第２面の少なくとも一方の読取動作を実行する。制御部４２は、画像読取部３２における媒体の読取動作終了後に、ステップＳ７として読取後の媒体を排出ローラー対３４によりニップして排出口２２から排出して媒体の搬送動作を終了させる。
【００７４】
制御部４２は、ステップＳ２において媒体検出センサー３８が媒体を検出しない場合、媒体のエッジ部分が正常（持ち上がっていない状態）であると判断して、ステップＳ８として媒体の給送を継続する。
【００７５】
その後、制御部４２はステップＳ９として、媒体搬送検出センサー４８が媒体を検出したか否かを判断する。制御部４２は、媒体搬送検出センサー４８から媒体検出信号を受けると、ステップＳ１０として、媒体の給送を継続し、画像読取部３２において媒体の第１面及び第２面の少なくとも一方の読取動作を実行する。制御部４２は、画像読取部３２における媒体の読取動作終了後に、ステップＳ１１として読取後の媒体を排出ローラー対３４によりニップして排出口２２から排出して媒体の搬送動作を終了させる。
【００７６】
制御部４２は、ステップＳ４において通過検出センサー５２が媒体を検出しない場合、ステップＳ５において媒体搬送検出センサー４８が媒体を検出しない場合及びステップＳ９において媒体搬送検出センサー４８が媒体を検出しない場合、ステップＳ１２として、媒体にジャムが生じたと判断し、給送ローラー２６、媒体搬送ローラー対３０及び排出ローラー対３４の回転を停止させて、媒体の搬送を停止し、媒体の搬送動作を終了させる。
【００７７】
本実施例によれば、ジャムに至るような変形でない変形がある媒体において適切に給送することが可能となるとともに、ジャムに至るような変形がある媒体については、給送を停止させて媒体へのダメージを低減できるので、媒体を適切に給送でき、スキャナー１０の利便性が向上する。
【００７８】
＜＜＜第１の実施例及び第２の実施例の変更例＞＞＞
（１）第１の実施例及び第２の実施例において媒体検出センサー３８は、媒体搬送経路２４内において給送ローラー２６及び分離ローラー２８のＸ軸方向における両側（＋Ｘ軸方向側、−Ｘ軸方向側）に配置する構成としたが、この構成に代えて、媒体検出センサー３８を給送ローラー２６及び分離ローラー２８の＋Ｘ軸方向側、あるいは−Ｘ軸方向側のいずれか片側のみに配置する構成としてもよい。
（２）第１の実施例及び第２の実施例において媒体検出センサー３８は、一例として光学式センサーとして構成したが、この構成に代えて、媒体検出センサー３８を機械式センサー、タッチセンサー、超音波センサー等により構成してもよい。
【００７９】
上記説明をまとめると、スキャナー１０は、媒体Ｐを載置する媒体載置部１６と、媒体載置部１６に載置された媒体Ｐのうち最下位の媒体と接触して当該媒体Ｐを下流側に送る、媒体搬送方向であるＹ軸方向と交差する媒体幅方向であるＸ軸方向において中央領域に設けられる給送ローラー２６と、給送ローラー２６との間で媒体Ｐをニップして分離する分離ローラー２８と、給送ローラー２６の下流側に設けられた、媒体を読み取る画像読取部３２と、媒体幅方向であるＸ軸方向において給送ローラー２６と分離ローラー２８とのニップ位置Ｎ１より媒体Ｐのエッジ側に離れた位置で、且つ、媒体搬送経路２４を側視して給送ローラー２６及び分離ローラー２８のうちいずれかと重なる位置である検出位置Ｓで媒体を検出可能な媒体検出センサー３８とを備えている。
【００８０】
上記構成によれば、スキャナー１０は、媒体幅方向であるＸ軸方向において給送ローラー２６と分離ローラー２８とのニップ位置Ｎ１より媒体Ｐのエッジ側に離れた位置で、且つ、媒体搬送経路２４を側視して給送ローラー２６及び分離ローラー２８のうちいずれかと重なる位置である検出位置Ｓで媒体Ｐを検出可能な媒体検出センサー３８を備えるので、変形に伴って検出位置Ｓに入り込んだ媒体Ｐを検出することができ、即ち最終的にジャムに至る前の媒体Ｐの変形を検出することによって媒体に生じるダメージを抑制することができる。
【００８１】
検出位置は、媒体搬送経路を側視して前記分離ローラーと重なる位置と、媒体搬送経路を側視して前記給送ローラーと重なる位置と、の双方に設けられている。この構成によれば、媒体が前記分離ローラー側及び前記給送ローラー側のいずれに変形した場合でも、それを検出することができる。
【００８２】
検出位置Ｓは、媒体搬送経路２４を側視して分離ローラー２８と重なる位置に設けられている。媒体載置部１６に載置された媒体Ｐのうち最下位の媒体Ｐを送り出す構成では、特に上流側でホチキス留めされた原稿束に対し給送ジョブを実行すると、送り出される原稿（最下位の原稿）は分離ローラー２８側に変形し易い傾向がある。上記構成ではそのような傾向に鑑み、検出位置Ｓを、媒体搬送経路２４を側視して分離ローラー２８と重なる位置に設けたので、より効率的に、最終的にジャムに至る前の媒体Ｐの変形を検出することができる。
【００８３】
検出位置Ｓは、媒体搬送方向であるＹ軸方向において給送ローラー２６と分離ローラー２８とのニップ位置Ｎ１より下流側であるとともに、媒体Ｐの面と交差する方向であるＺ軸方向において分離ローラー２８の回転中心位置Ｃ１より給送ローラー２６側にある。この構成によれば、変形した原稿が更に入り込み易い領域、即ち、媒体搬送方向であるＹ軸方向において給送ローラー２６と分離ローラー２８とのニップ位置Ｎ１より下流側（＋Ｙ方向側）であるとともに、媒体Ｐの面と交差する方向であるＺ軸方向において分離ローラー２８の回転中心位置Ｃ１より給送ローラー２６側の位置に検出位置Ｓを設けたので、更に効率的に、最終的にジャムに至る前の媒体Ｐの変形を検出することができる。
【００８４】
媒体幅方向であるＸ軸方向において検出位置Ｓより更に媒体Ｐのエッジ寄りの位置で、媒体搬送経路２４を側視して分離ローラー２８側の領域への媒体の入り込みを規制する規制部５０を備えている。
【００８５】
例えば媒体Ｐのエッジが多少反っていると、最終的にジャムに至る様な変形でないにも係わらず、検出位置Ｓに媒体Ｐが入り込んでしまい、給送を停止すべき変形であると誤判定してしまう虞がある。そこで上記構成では、媒体幅方向であるＸ軸方向において検出位置Ｓより更に媒体Ｐのエッジ寄りの位置で、媒体搬送経路２４を側視して分離ローラー２８側の領域への媒体の入り込みを規制する規制部５０を備えるので、給送を継続しても問題のない媒体Ｐの検出位置Ｓへの入り込みを抑制することで、上記誤判定を抑制できる。
【００８６】
スキャナー１０は、給送ローラー２６を制御する制御部４２を備えている。制御部４２は、媒体検出センサー３８により検出位置Ｓにおいて媒体Ｐを検出すると、給送ローラー２６を停止させる。この構成によれば、ジャムに至る前の段階で給送動作を停止させることで、媒体Ｐにダメージが形成されることを防止でき、或いは媒体Ｐに形成されるダメージを抑制できる。
【００８７】
媒体搬送方向であるＹ軸方向において画像読取部３２の上流側に設けられた、媒体Ｐを画像読取部３２側に搬送する搬送ローラー対３０と、搬送ローラー対３０と給送ローラー２６との間に設けられた、媒体Ｐの通過を検出する通過検出センサー５２と、給送ローラー２６を制御する制御部４２と、を備えている。制御部４２は、媒体検出センサー３８により検出位置Ｓにおいて媒体Ｐを検出した場合、検出位置Ｓから通過検出センサー５２までの距離に対応する量の給送ローラー２６の駆動を実行し、給送ローラー２６の駆動の結果、通過検出センサー５２により媒体Ｐの先端の通過を検出した場合、給送ローラー２６による媒体Ｐの給送を継続し、給送ローラー２６の駆動の結果、通過検出センサー５２により媒体Ｐの先端の通過を検出しなかった場合、給送ローラー２６を停止させる。
【００８８】
上記構成によれば、制御部４２は、媒体検出センサー３８により検出位置Ｓにおいて媒体Ｐを検出した場合、検出位置Ｓから通過検出センサー５２までの距離に対応する量の給送ローラー２６の駆動を実行し、給送ローラー２６の駆動の結果、通過検出センサー５２により媒体Ｐの先端の通過を検出した場合、給送ローラー２６による媒体Ｐの給紙を継続する。即ち、媒体検出センサー３８が媒体を検出しても、その後に下流側の通過検出センサー５２が媒体Ｐの先端の通過を検出すれば、媒体を正常に給送できると考えられる為、その様な場合は給送を継続することで不必要な給送の停止を回避できる。
【００８９】
そして給送ローラー２６の駆動の結果、通過検出センサー５２により媒体Ｐの先端の通過を検出しなかった場合、ジャムが生じていると判断できるので、給送ローラー２６を停止させることで、媒体Ｐにダメージが形成されることを防止でき、或いは媒体Ｐに形成されるダメージを抑制できる。
【００９０】
検出位置Ｓは、媒体搬送経路２４を側視して給送ローラー２６と重なる位置に設けられている。この構成によれば、給送ローラー２６側に変形する媒体Ｐを検知でき、即ち最終的にジャムに至る前の媒体Ｐの変形を検出することによって媒体に生じるダメージを抑制することができる。
【００９１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９２】
１０…スキャナー、１２…下部ユニット、１４…上部ユニット、１６…媒体載置部、１６ａ…エッジガイド、１８…排出トレイ、２０…ユーザインタフェース部、２２…排出口、２４…媒体搬送経路、２６…給送ローラー、２８…分離ローラー、３０…搬送ローラー対、３２…画像読取部、３４…排出ローラー対、３６Ａ…第１読み取りユニット、３６Ｂ…第２読み取りユニット、３８…媒体検出センサー、４０…媒体給送検出センサー、４０ａ…発光部、４０ｂ…受光部、４２…制御部、４４…重送検出センサー、４４ａ…スピーカー部、４４ｂ…マイク部、４８…媒体搬送検出センサー、５０…規制部、５２…通過検出センサー、Ｃ１…回転中心位置、Ｎ１…ニップ位置、Ｐ、Ｐ１、Ｐ２、Ｐ３、Ｐ４…媒体、Ｐ１Ｆ、Ｐ２Ｆ…先端、Ｐ１Ｓ…媒体幅方向エッジ側部分、Ｐ２Ｃ…中央部分、Ｐ２Ｓ…エッジ側部分、Ｐ３Ｓ…ステープラーで留められた部分、Ｒ１…検出位置設定領域、Ｓ…検出位置、Ｓ１、Ｓ２、Ｓ３、Ｓ４、Ｓ５、Ｓ６、Ｓ７、Ｓ８、Ｓ９…ステップ
【図１】
2019006559.tif 000003
【図２】
2019006559.tif 000004
【図３】
2019006559.tif 000005
【図４】
2019006559.tif 000006
【図５】
2019006559.tif 000007
【図６】
2019006559.tif 000008
【図７】
2019006559.tif 000009
【図８】
2019006559.tif 000010
【図９】
2019006559.tif 000011
【図１０】
2019006559.tif 000012
【図１１】
2019006559.tif 000013
【図１２】
2019006559.tif 000014
【図１３】
2019006559.tif 000015
【図１４】
2019006559.tif 000016
【図１５】
2019006559.tif 000017
【図１６】
2019006559.tif 000018